(57)【要約】【課題】小型化を実現するとともに、光ディスクドライブから発生する熱を有効に放熱しながら光ディスクに対する信号の記録が可能な携帯型電子機器及び当該携帯型電子機器に用いられるクレードル装置を提供すること。【解決手段】携帯型電子機器１００は、本体１０がクレードル装置２０にコネクタ４及びコネクタ２２を介して接続されていない場合には、本体１０の光ディスクドライブ５による光ディスク５０への記録処理を規制して再生専用モードとし、クレードル装置２０に接続されている場合には記録／再生可能モードとする。光ディスクドライブ５には、半導体レーザ１１から発する熱を伝導される放熱板１７が設けられており、本体１０とクレードル装置２０との接続時には、筐体１の底面に設けられた挿入孔３４に、クレードル装置２０の放熱ピン２３が挿入されることで、上記熱が放熱ピン２３と一体形成されたヒートシンク２５から放熱される。【選択図】  図８
2007213121.tif 000002
【特許請求の範囲】
【請求項１】
携帯型電子機器本体とクレードル装置とからなる携帯型電子機器であって、
前記携帯型電子機器本体は、
光ディスクを挿脱可能な挿入部と、前記挿入された光ディスクに対する信号の記録及び再生が可能な光ディスクドライブと、前記クレードル装置から電力を入力する第１の入力端子と、前記入力された電力を充電可能であり、当該電力を前記光ディスクドライブへ供給可能なバッテリと、前記第１の入力端子へ前記電力が入力されていない場合に、前記光ディスクに対する前記信号の記録を規制するよう前記光ディスクドライブを制御する制御部とを有し、
前記クレードル装置は、
前記第１の入力端子へ出力するための電力を入力する第２の入力端子と、前記携帯型電子機器本体を載置可能であり、前記第２の入力端子から入力された電力を前記第１の入力端子へ出力可能な出力端子を有する載置部と、前記載置部に前記携帯型電子機器本体が載置され前記第１の入力端子へ前記電力が出力されている場合に、前記光ディスクドライブで発生した熱を放熱可能な放熱部とを有する
ことを特徴とする携帯型電子機器。
【請求項２】
請求項１に記載の携帯型電子機器であって、
前記放熱部は、前記載置部に設けられ、前記光ディスクドライブから発生する熱を伝導される伝導部材と、当該伝導部材に接続されたヒートシンクとを有することを特徴とする携帯型電子機器。
【請求項３】
請求項２に記載の携帯型電子機器であって、
前記伝導部材は、前記載置部から突出するように設けられ、
前記光ディスクドライブは、当該光ディスクドライブで発生した熱を伝導可能な放熱板を有し、
前記携帯型電子機器本体は、前記伝導部材が前記放熱板と接触可能となるように前記伝導部材を挿入可能な挿入孔を有する
ことを特徴とする携帯型電子機器。
【請求項４】
請求項３に記載の携帯型電子機器であって、
前記光ディスクドライブは、
前記挿入された光ディスクを装着する装着部と、前記装着された光ディスクを回転駆動する回転駆動機構と、前記装着部及び前記回転駆動機構を保持するベース部材と、前記回転された光ディスクに対する信号の記録及び再生を行なうためのレーザ光を出射可能な半導体レーザ及び当該半導体レーザを保持するレーザ保持部を有するピックアップ機構と、前記ピックアップ機構を前記光ディスクの径方向へ移動可能に保持する移動軸を有するピックアップ移動機構と、前記レーザ保持部と接触するとともに前記移動軸に係合する係合部材とを有し、
前記放熱板は、前記ベース部材上であって前記挿入孔近傍に設けられ、一端に前記移動軸を回転可能に保持する保持部を有し、他端に前記伝導部材と嵌合可能な嵌合部を有する
ことを特徴とする携帯型電子機器。
【請求項５】
請求項１に記載の携帯型電子機器であって、
前記携帯型電子機器本体は、
前記光ディスクドライブ、前記バッテリ及び前記制御部を内蔵するとともに、前記挿入部及び前記第１の入力端子を表面に有し、前記クレードル装置への載置時に当該クレードル装置の前記載置部と対向する面にスリットを有する筐体を有し、
前記放熱部は、前記スリットに対向するように前記載置部に設けられ、前記第１の入力端子へ前記電力が入力され、かつ、前記光ディスクドライブにおいて前記記録または再生が行なわれている場合に前記スリットに向けて送風するよう駆動可能なファンを有する
ことを特徴とする携帯型電子機器。
【請求項６】
請求項５に記載の携帯型電子機器であって、
前記放熱部は、
前記載置された携帯型電子機器本体の前記光ディスクドライブにおいて、前記光ディスクに対する前記信号の記録または再生が行なわれているか否かを検出する手段と、前記記録または再生が行なわれていることが検出された場合に、前記第２の入力端子から入力された電力により前記ファンを駆動するよう制御する手段とを有する
ことを特徴とする携帯型電子機器。
【請求項７】
請求項１に記載の携帯型電子機器であって、
前記携帯型電子機器本体は、前記筐体に設けられ、前記光ディスクドライブに前記光ディスクへの信号の記録または再生を行なわせるユーザ操作を入力するための操作用画像を表示可能な表示部を有し、
前記制御部は、前記第１の入力端子へ前記電力が入力されていない場合に、前記記録を行わせるための前記操作用画像の表示を規制するよう前記表示部を制御する
ことを特徴とする携帯型電子機器。
【請求項８】
請求項１に記載の携帯型電子機器であって、
前記携帯型電子機器本体は、前記筐体に設けられ、前記光ディスクドライブに前記光ディスクへの信号の記録または再生を行なわせるユーザ操作を入力するための操作用画像を表示可能な表示部を有し、
前記制御部は、前記第１の入力端子へ前記電力が入力されていない場合であって、前記記録を行わせるための前記操作用画像に対してユーザ操作が行われた場合に、前記携帯型電子機器本体を前記クレードル装置へ載置しない限り前記記録ができないことを前記ユーザへ報知するための表示を前記表示部に行わせるよう制御する
ことを特徴とする携帯型電子機器。
【請求項９】
請求項１に記載の携帯型電子機器であって、
前記携帯型電子機器本体は、前記光ディスクドライブに前記光ディスクへの信号の再生を行なわせるユーザ操作を入力するための第１の操作入力部を有し、
前記クレードル装置は、前記光ディスクドライブに前記光ディスクへの信号の記録を行なわせるユーザ操作を入力するための第２の操作入力部を有する
ことを特徴とする携帯型電子機器。
【請求項１０】
光ディスクに対する信号の記録及び再生が可能な光ディスクドライブ及びバッテリを有する携帯型電子機器本体を載置可能なクレードル装置であって、
外部から電力を入力する入力端子と、
前記入力された電力を前記携帯型電子機器本体の前記バッテリへ供給または充電させるために当該電力を前記携帯型電子機器本体へ出力可能な出力端子を有し、前記携帯型電子機器本体を載置可能な載置部と、
前記出力端子から電力が出力されている場合に、前記携帯型電子機器本体の前記光ディスクドライブで発生した熱を放熱可能な放熱部と
を具備することを特徴とするクレードル装置。
【発明の詳細な説明】
【技術分野】
【０００１】
本発明は、光ディスクに対する信号の記録及び光ディスクに記録された信号の再生が可能な携帯型電子機器と、当該携帯型電子機器に用いられるクレードル装置に関する。
【背景技術】
【０００２】
従来から、光ディスクとしては、ＣＤ（Compact Disc）、ＤＶＤ（Digital Versatile Disk）、ＢＤ（Blu-ray Disc（登録商標））、ＵＭＤ（登録商標；Universal Media Disc）といった光ディスクが知られており、これらの光ディスクへの信号の記録及び当該光ディスクに記録された信号の再生に対応した携帯型のＡＶ（オーディオビジュアル）機器やゲーム機器等の携帯型電子機器が多数存在する。
【０００３】
このような携帯型電子機器においては、携帯型電子機器本体にバッテリを内蔵し、当該本体を載置可能なクレードルにおいて、当該バッテリへの充電やＰＣ（Personal Computer）との接続を行うことが多くなってきている（例えば、特許文献１参照。）。  
【特許文献１】特開２００５−２７５６１０号公報（図３等）
【発明の開示】
【発明が解決しようとする課題】
【０００４】
しかしながら、上記特許文献１に記載の電子機器のように、内蔵バッテリを用いたポータブル使用時に、光ディスクに対して信号の記録を行うと、光ディスクの再生時に比べて光ディスクドライブが電力を多く必要とするため、バッテリの電力消費が早くなり、また発熱量も多くなり、ひいては光ディスクドライブの半導体レーザの寿命も短くなる可能性がある。近年、青色レーザ等の短波長の半導体レーザにより高密度記録が可能なＢＤ等の光ディスクも開発されており、そのような半導体レーザにおいては、赤色レーザ等の従来の半導体レーザに比べて発熱量も増加するため、更に有効な放熱手段が望まれる。
【０００５】
また、電力を多く必要とするため、バッテリのサイズも大きくならざるを得ず、電子機器の小型化及びモビリティの向上の障害となる。更に、バッテリ使用時にはその電力に限界があるため、光ディスクへの記録時間も制限されてしまうという問題もある。
【０００６】
以上のような事情に鑑み、本発明の目的は、小型化を実現するとともに、光ディスクドライブから発生する熱を有効に放熱しながら光ディスクに対する信号の記録が可能な携帯型電子機器及び当該携帯型電子機器に用いられるクレードル装置を提供することにある。
【課題を解決するための手段】
【０００７】
上述の課題を解決するため、本発明の主たる観点に係る携帯型電子機器は、携帯型電子機器本体とクレードル装置とからなる携帯型電子機器であって、前記携帯型電子機器本体は、光ディスクを挿脱可能な挿入部と、前記挿入された光ディスクに対する信号の記録及び再生が可能な光ディスクドライブと、前記クレードル装置から電力を入力する第１の入力端子と、前記入力された電力を充電可能であり、当該電力を前記光ディスクドライブへ供給可能なバッテリと、前記第１の入力端子へ前記電力が入力されていない場合に、前記光ディスクに対する前記信号の記録を規制するよう前記光ディスクドライブを制御する制御部とを有し、前記クレードル装置は、前記第１の入力端子へ出力するための電力を入力する第２の入力端子と、前記携帯型電子機器本体を載置可能であり、前記第２の入力端子から入力された電力を前記第１の入力端子へ出力可能な出力端子を有する載置部と、前記載置部に前記携帯型電子機器本体が載置され前記第１の入力端子へ前記電力が出力されている場合に、前記光ディスクドライブで発生した熱を放熱可能な放熱部とを有することを特徴としている。
【０００８】
この構成により、携帯型電子機器本体がクレードル装置に電気的に接続されている場合にのみ光ディスクへの記録が可能となり、かつ、光ディスクドライブの放熱が可能となる。したがって、携帯型電子機器本体がクレードル装置から離脱してバッテリにより動作している場合には光ディスクの再生専用として動作するため、記録と再生を両方行なう場合に比べてバッテリの電力消費を抑えることができる。また携帯型電子機器本体に放熱部及び大型のバッテリを搭載する必要がないため、小型化に有利となり、携帯性を向上させることができる。更に、携帯型電子機器本体がクレードル装置と接続されている場合には、記録時間及び消費電力を気にすることなく光ディスクへの記録が可能となる。またこの場合、光ディスクドライブから発生する熱を放熱することができるため、光ディスクドライブのピックアップの半導体レーザの消耗を抑え、寿命を延ばすことができる。なお、光ディスクとしては、ＣＤ、ＤＶＤ、ＢＤ、ＵＭＤ（登録商標）等が挙げられるが、これらに限られるものではない。
【０００９】
上記携帯型電子機器において、前記放熱部は、前記載置部に設けられ、前記光ディスクドライブから発生する熱を伝導される伝導部材と、当該伝導部材に接続されたヒートシンクとを有していてもよい。
【００１０】
これにより、光ディスクドライブから伝導部材を介して伝わった熱をヒートシンクにより効率よく放熱することができる。またヒートシンクをクレードル装置に設けることで、携帯型電子機器本体を小型化することができる。ここで伝導部材とは例えば金属製のピンやシート等である。
【００１１】
上記携帯型電子機器において、前記伝導部材は、前記載置部から突出するように設けられ、前記光ディスクドライブは、当該光ディスクドライブで発生した熱を伝導可能な放熱板を有し、前記携帯型電子機器本体は、前記伝導部材が前記放熱板と接触可能となるように前記伝導部材を挿入可能な挿入孔を有していてもよい。
【００１２】
これにより、放熱板と伝導部材とが接触することで、光ディスクドライブから発生した熱を確実に放熱することができる。
【００１３】
上記携帯型電子機器において、前記光ディスクドライブは、前記挿入された光ディスクを装着する装着部と、前記装着された光ディスクを回転駆動する回転駆動機構と、前記装着部及び前記回転駆動機構を保持するベース部材と、前記回転された光ディスクに対する信号の記録及び再生を行なうためのレーザ光を出射可能な半導体レーザ及び当該半導体レーザを保持するレーザ保持部を有するピックアップ機構と、前記ピックアップ機構を前記光ディスクの径方向へ移動可能に保持する移動軸を有するピックアップ移動機構と、前記レーザ保持部と接触するとともに前記移動軸に係合する係合部材とを有し、前記放熱板は、前記放熱板は、前記ベース部材上であって前記挿入孔近傍に設けられ、一端に前記移動軸を回転可能に保持する保持部を有し、他端に前記伝導部材と嵌合可能な嵌合部を有していても構わない。
【００１４】
これにより、光ディスクへの信号記録及び再生時に半導体レーザから発生した熱は、半導体レーザ→レーザ保持部→係合部材→移動軸→放熱板の順に伝えられ、更に放熱板に勘合した上記伝導部材を介してヒートシンクへ伝えられることで放熱される。上記移動軸を放熱経路として用いることで、ピックアップ機構がピックアップ移動機構により移動されてどの位置にあろうとも、半導体レーザからの熱を安定して確実に伝導部材へ伝えて放熱させることができる。放熱経路中の各部は例えば全て金属製とされる。
【００１５】
上記携帯型電子機器において、前記携帯型電子機器本体は、前記光ディスクドライブ、前記バッテリ及び前記制御部を内蔵するとともに、前記挿入部及び前記第１の入力端子を表面に有し、前記クレードル装置への載置時に当該クレードル装置の前記載置部と対向する面にスリットを有する筐体を有し、前記放熱部は、前記スリットに対向するように前記載置部に設けられ、前記第１の入力端子へ前記電力が入力され、かつ、前記光ディスクドライブにおいて前記記録または再生が行なわれている場合に前記スリットに向けて送風するよう駆動可能なファンを有していてもよい。
【００１６】
これにより、携帯型電子機器本体がクレードル装置に載置され光ディスクへの記録または再生が行なわれている場合には、ファンから送られた風がスリットを介して携帯型電子機器本体内部へ送られるため、携帯型電子機器本体へ電力を供給しつつ光ディスクドライブを有効に放熱することが可能となる。
【００１７】
上記携帯型電子機器において、前記放熱部は、前記載置された携帯型電子機器本体の前記光ディスクドライブにおいて、前記光ディスクに対する前記信号の記録または再生が行なわれているか否かを検出する手段と、前記記録または再生が行なわれていることが検出された場合に、前記第２の入力端子から入力された電力により前記ファンを駆動するよう制御する手段とを有していても構わない。
【００１８】
これにより、光ディスクドライブの記録または再生動作と同期してファンを駆動するよう制御できるため、より効率よくファンを駆動させて光ディスクドライブから発生する熱を放熱することができる。
【００１９】
上記携帯型電子機器において、前記携帯型電子機器本体は、前記筐体に設けられ、前記光ディスクドライブに前記光ディスクへの信号の記録または再生を行なわせるユーザ操作を入力するための操作用画像を表示可能な表示部を有し、前記制御部は、前記第１の入力端子へ前記電力が入力されていない場合に、前記記録を行わせるための前記操作用画像の表示を規制するよう前記表示部を制御するようにしても構わない。
【００２０】
これにより、携帯型電子機器本体がクレードル装置に載置及び接続されていない場合には記録のための操作用画像が表示されないため、接続されていない場合のユーザの誤操作入力を防いで、再生専用と記録・再生両用の各モードを確実に切り替えることができる。ここで操作用画像とは例えばアイコン等のＧＵＩ（Graphical User Interface）であり、上記表示部はタッチパネルとして機能する。
【００２１】
上記携帯型電子機器において、前記携帯型電子機器本体は、前記筐体に設けられ、前記光ディスクドライブに前記光ディスクへの信号の記録または再生を行なわせるユーザ操作を入力するための操作用画像を表示可能な表示部を有し、前記制御部は、前記第１の入力端子へ前記電力が入力されていない場合であって、前記記録を行わせるための前記操作用画像に対してユーザ操作が行われた場合に、前記携帯型電子機器本体を前記クレードル装置へ載置しない限り前記記録ができないことを前記ユーザへ報知するための表示を前記表示部に行わせるよう制御するようにしてもよい。
【００２２】
これにより、携帯型電子機器本体がクレードル装置に載置及び接続されていない場合にユーザから記録操作が行われても、記録ができないことをユーザに瞬時に報知することができるとともに、クレードル装置へ載置するよう促してスムーズに記録を行わせることができる。
【００２３】
上記携帯型電子機器において、前記携帯型電子機器本体は、前記光ディスクドライブに前記光ディスクへの信号の再生を行なわせるユーザ操作を入力するための第１の操作入力部を有し、前記クレードル装置は、前記光ディスクドライブに前記光ディスクへの信号の記録を行なわせるユーザ操作を入力するための第２の操作入力部を有していてもよい。
【００２４】
これにより、記録用の操作入力部をクレードル装置に設けることで、携帯型電子機器本体では記録のための操作自体が不可能となるため、携帯型電子機器本体がクレードル装置に接続されていない状態におけるユーザによる無駄な操作を防いで、光ディスクへの記録及び再生動作をスムーズに行なわせることができる。
【００２５】
本発明の他の観点に係るクレードル装置は、光ディスクに対する信号の記録及び再生が可能な光ディスクドライブ及びバッテリを有する携帯型電子機器本体を載置可能なクレードル装置であって、外部から電力を入力する入力端子と、前記入力された電力を前記携帯型電子機器本体の前記バッテリへ供給または充電させるために当該電力を前記携帯型電子機器本体へ出力可能な出力端子を有し、前記携帯型電子機器本体を載置可能な載置部と、前記出力端子から電力が出力されている場合に、前記携帯型電子機器本体の前記光ディスクドライブで発生した熱を放熱可能な放熱部とを具備する。
【００２６】
これにより、携帯型電子機器本体がクレードル装置と接続されている場合には、上記電力を供給して光ディスクドライブに例えば光ディスクへの記録等のより電力を必要とする処理を行わせるとともに、上記放熱部により光ディスクドライブを放熱することができる。よって、携帯型電子機器本体に放熱部や大型のバッテリを設ける必要がなくなるため、携帯型電子機器本体をより小型化することが可能となる。
【発明の効果】
【００２７】
以上のように、本発明によれば、小型化を実現するとともに、光ディスクドライブから発生する熱を有効に放熱しながら光ディスクに対する信号の記録を行うことができる。
【発明を実施するための最良の形態】
【００２８】
以下、本発明の実施の形態を図面に基づき説明する。
【００２９】
（第１実施形態）  
まず、本発明の第１の実施形態について説明する。
【００３０】
図１は、本実施形態における携帯型電子機器１００の正面側の外観を示す斜視図であり、図２は、本実施形態における携帯型電子機器１００の背面側の外観を示す斜視図である。両図に示すように、携帯型電子機器１００は、携帯型電子機器本体１０（以下、単に本体１０と称する）と、当該本体１０を載置可能なクレードル装置２０とからなる。
【００３１】
本体１０は筐体１を有し、筐体１の背面には、光ディスク５０を挿脱可能な挿入部３が設けられている。挿入部３は、筐体１の背面の底辺を軸として回動することで開閉可能となっており、開いた状態で光ディスク５０を挿脱可能とし、閉じた状態で背面の一部となるように設けられている。本実施形態においては、光ディスク５０はカートリッジに収容されたタイプとなっているが、カートリッジに収容されないベアタイプであっても構わない。光ディスク５０としては、例えばＣＤ、ＤＶＤ、ＢＤ、ＵＭＤ（登録商標）等が適用可能であるが、これら以外であってもよい。
【００３２】
筐体１内部の、上記挿入部３を開いた状態において露出する部分には、上記光ディスク５０に対する信号の記録と、光ディスク５０に記録された信号の再生とが可能な光ディスクドライブ５が内蔵されている。
【００３３】
また図１に示すように、筐体１の正面にはディスプレイ２が設けられている。当該ディスプレイ２としては、例えばＴＦＴ（Thin Film Transistor）等の液晶ディスプレイや、ＣＲＴ（Cathode Ray Tube）が用いられる。ディスプレイ２は、光ディスク５０に記録された画像データやテキストデータ等を表示するとともに、光ディスク５０に対して信号の記録または再生を行なう場合には、各種メニュー画面や操作ボタン等のアイコンからなるＧＵＩを表示し、ユーザの指や図示しないスタイラスペン等による操作が可能なタッチパネルとしても機能する。
【００３４】
クレードル装置２０は、上記本体１０を装着可能なように本体１０の外形に合った形状を有しており、本体１０を載置可能な載置部２１を有する。載置部２１には、本体１０と電気的に接続するためのコネクタ２２と、本体１０の光ディスクドライブ５で発生した熱を放熱するための金属製の放熱ピン２３とが載置部表面から突出するように設けられている。なお両図においては図示されていないが、筐体１の底面には、本体１０をクレードル装置２０に載置した場合に当該コネクタ２２と接続可能なコネクタと、放熱ピン２３を挿入可能な挿入孔とが設けられている。これにより、本体１０は、クレードル装置２０に両図矢印Ａで示す方向に載置及び装着することが可能となっている。
【００３５】
また図２に示すように、クレードル装置２０の背面には、ＡＣまたはＤＣ電源に接続され、当該電源から電力を入力可能な電源入力端子２４が設けられている。本体１０がクレードル装置２０に接続された場合には、本体１０は当該電源入力端子２４から入力された電力を、コネクタ２２を介して受け取って動作する。また、後述するが、クレードル装置２０には、上記放熱ピン２３と接続されたヒートシンクが、クレードル装置２０の底面から露出するように設けられている。
【００３６】
図３は、本実施形態における携帯型電子機器１００の内部構成を示したブロック図である。同図に示すように、本体１０は、上記ディスプレイ２及び光ディスクドライブ５に加えて、バッテリ１８及び制御部１９を有する。
【００３７】
バッテリ１８は、本体１０にクレードル装置２０が載置された場合に、クレードル装置の電源入力端子２４から入力された電力を、クレードル装置２０のコネクタ２２及び本体１０のコネクタ４を介して入力し、充電することが可能である。本体１０は、クレードル装置２０と接続されていない場合には、当該バッテリ１８から電力を供給されて動作する。またバッテリ１８は、充電した電力を光ディスクドライブ５へ供給して光ディスクドライブ５を駆動させ、またディスプレイ２や制御部１９等の各部にも電力を供給する。
【００３８】
制御部１９は、ＣＰＵ（Central Processing Unit）３１、ＲＯＭ（Read Only Memory）３２、ＲＡＭ（Random Access Memory）３３等を有し、本体１０の各部と信号をやり取りして、本体１０を統括的に制御する。
【００３９】
特に制御部１９は、本体１０とクレードル装置２０との接続状況を監視し、光ディスクドライブ５による光ディスク５０への記録処理の可否を決定する役割を担っている。具体的には、制御部１９は、本体１０がコネクタ４及びコネクタ２２を介してクレードル装置２０と接続されていない場合、すなわち本体１０がバッテリ１８を電源として動作している場合には、光ディスクドライブ５の記録処理を規制して、再生専用モードとして機能させる。また本体１０がクレードル装置２０と接続した場合、すなわち本体１０がクレードル装置２０から供給される電力により動作している場合には、上記記録処理の規制を解除して、光ディスクドライブ５を記録／再生可能モードとして機能させる。
【００４０】
なお、本体１０はこれら以外にもコンピュータとして機能するために必要な要素を有しているものとする。
【００４１】
次に、上記本体１０に内蔵された光ディスクドライブ５について詳述する。図４は、光ディスクドライブ５の上面を示した図であり、図５は、光ディスクドライブ５の裏面を示した図である。また図６は、図４のうち破線Ａで囲んだ部分の拡大図であり、図７は、図５のうち破線Ｂで囲んだ部分の拡大図である。なお、光ディスクドライブ５は、上記上面が本体１０の背面と、また裏面が本体１０の正面（ディスプレイ２）とそれぞれ対向するように設けられている。また、光ディスクドライブ５は、図４の状態から時計回りへ略９０度回転させた状態、また図５の状態から反時計回りへ略９０度回転させた状態で本体１０の内部へ搭載される。
【００４２】
図４及び図５に示すように、光ディスクドライブ５のシャーシ６には、挿入部３から挿入された光ディスク５０を装着（チャッキング）する装着部７と、当該装着部７に装着された光ディスク５０を回転駆動させるスピンドルモータ８と、回転駆動される光ディスク５０に対して信号の記録及び再生を行なうピックアップ機構９とが設けられている。
【００４３】
図４から図７に示すように、ピックアップ機構９には、レーザ光を出射可能な半導体レーザ１１と、当該半導体レーザ１１を保持するレーザホルダ１２と、半導体レーザ１１から出射されたレーザ光を集光させて光ディスク５０の信号記録面へ照射する対物レンズ１３と、当該信号記録面からの反射光を受光素子等により検出するディテクタ（図示せず）等が設けられている。半導体レーザ１１は例えば青色レーザを出射可能なものとするが、赤色レーザ等の他の波長のレーザ光を用いても構わない。
【００４４】
またピックアップ機構９は、対物レンズ１３を光軸方向（フォーカシング方向という。）と、光ディスク５０の記録トラックと直交する方向（トラッキング方向という）とに変位駆動する２軸アクチュエータ等を有する。これによりピックアップ機構９は、上記ディテクタにより検出された光ディスク５０からの検出信号に基づいて、この２軸アクチュエータにより対物レンズ１３をフォーカシング方向及びトラッキング方向に変位させながら、光ディスク５０の信号記録面上に対物レンズ１３の焦点を合わせるフォーカスサーボや、対物レンズ１３により集光される光ビームのスポットを記録トラックに追従させるトラッキングサーボ等の駆動制御を行うことが可能となっている。なお、対物レンズ１３を駆動させる機構としては、上記フォーカシング制御及びトラッキング制御に加えて、対物レンズ１３により集光されたレーザ光を光ディスク５０の信号記録面に垂直に照射させるように、光ディスク５０の信号記録面に対する対物レンズ１３の傾き（スキュー）を調整可能とする３軸アクチュエータを用いてもよい。
【００４５】
またピックアップ機構９は、らせん状の溝を有する主軸１４と、当該主軸１４と平行に設けられたガイド軸１５とにより光ディスク５０の半径方向へスライド可能に支持されている。光ディスクドライブ５は、当該主軸１４及びガイド軸１５や、図示しない変位駆動モータ、ギア及びラック等からなるスレッド送り機構を有し、当該スレッド送り機構によりピックアップ機構９を上記半径方向へ変位駆動させることが可能となっている。
【００４６】
図４及び図６に示すように、シャーシ６の表面には、主軸１４のらせん状の溝に係合する歯１６ａを有する板バネ状の主軸抑えバネ１６が設けられ、また当該主軸抑えバネ１６は、そのバネ力により上記レーザホルダ１２を押圧するように当該レーザホルダ１２にも接触している。また図５及び図７に示すように、シャーシ６の裏面には、主軸１４をシャーシ６に回転可能に保持するための板バネ状の放熱板１７が設けられている。放熱板１７は、一端で主軸１４を保持するとともに、他端に、上記クレードル装置２０の放熱ピン２３と嵌合可能な嵌合部１７ａを有している。嵌合部１７ａは、平板状部材の両端部を折り曲げるように形成され、その折り曲げた部分がバネ力により放熱ピン２３と嵌合しながら押圧するようになっている。上記レーザホルダ１２、主軸１４、主軸抑えバネ１６及び放熱板１７は全て金属製とされる。本実施形態においては、これら金属製の各部材と、上記クレードル装置２０の載置部２１に設けられた放熱ピン２３及びヒートシンクにより、半導体レーザ１１で発生した熱を放熱することが可能となっている。以下、本実施形態における光ディスクドライブ５内の放熱経路について説明する。
【００４７】
図６に示すように、光ディスクドライブ５が光ディスク５０に対して信号の記録または再生を行なう場合、半導体レーザ１１から発生した熱は、まずレーザホルダ１２へ伝導され、当該レーザホルダ１２に接触する主軸抑えバネ１６へ伝導され（同図矢印（１））、主軸抑えバネ１６の歯１６ａが係合する主軸１４へ伝導される（同図矢印（２））。
【００４８】
そして図６及び図７に示すように、主軸１４へ伝わった熱は、更に主軸１４上を伝わっていき（両図矢印（３））、主軸１４を保持する放熱板１７へと伝導される（図７の矢印（４））。そして、放熱板１７へ伝導された熱は、当該放熱板１７の形状に沿って、上記嵌合部１７ａまで伝導される（図７の矢印（５）及び（６））。当該放熱経路において、上記熱が主軸１４を通るようにしたことで、ピックアップ機構９がスレッド送り機構により変位駆動されてどの位置にあろうとも、当該熱を確実に放熱板１７まで伝えることができる。
【００４９】
図８は、本体１０がクレードル装置２０へ載置される際の携帯型電子機器１００の上記放熱経路部分を示した透過図であり、図９は、本体１０がクレードル装置２０へ載置された状態の携帯型電子機器１００を示した透過図である。
【００５０】
図８に示すように、本体１０の底面には、クレードル装置２０の放熱ピン２３を挿入可能な挿入孔３４が設けられており、本体１０は、当該挿入孔３４にクレードル装置２０の放熱ピン２３が挿入されるように同図矢印Ａ方向へ載置される。また、同じく本体１０の底面にはクレードル装置２０のコネクタ２２と接続可能なコネクタ４が設けられている。更に、クレードル装置２０には、放熱ピン２３と一体形成されるように接続されたヒートシンク２５が、底面から露出するように設けられている。
【００５１】
そして、光ディスクドライブ５の放熱板１７は、その嵌合部１７ａが上記挿入孔３４の挿入方向へ位置するように設けられており、図９に示すように、放熱ピン２３を挿入孔３４に挿入した場合には、放熱ピン２３が嵌合部１７ａをバネ力に抗して押し広げるように嵌合するようになっている。これにより、本体１０がコネクタ４及びコネクタ２２を介してクレードル装置２０に接続された場合には、上記放熱経路によって、半導体レーザ１１から発生した熱が、放熱板１７の嵌合部１７ａを介して放熱ピン２３へ伝導され、更にヒートシンク２５へ伝導されることで放熱される。
【００５２】
次に、本実施形態における携帯型電子機器１００の動作を説明する。図１０は、携帯型電子機器１００の動作の流れを示したフローチャートである。
【００５３】
同図に示すように、まず、本体１０の制御部１９は、本体１０のコネクタ４とクレードル装置２０のコネクタ２２が接続状況により、クレードル装置２０から本体１０への電源供給があるか否かを確認する（ステップ４１）。当該電源供給が無い場合（ステップ４１のＮｏ）には、制御部１９は、光ディスクドライブ５を再生専用モードとし、光ディスクドライブ５による光ディスク５０への記録動作を規制する（ステップ４２）。
【００５４】
クレードル装置２０からの電源供給がある場合（ステップ４１のＹｅｓ）には、制御部１９は、バッテリ１８の充電量に不足があるか否か（Ｆｕｌｌ状態か否か）を確認する（ステップ４３）。不足がある場合（ステップ４３のＹｅｓ）にはバッテリ１８への充電を行い（ステップ４３）、不足がない場合（ステップ４３のＮｏ）にはバッテリ１８への充電を停止する（ステップ４４）。
【００５５】
そして制御部１９は、バッテリ１８へ充電がされていることを確認すると、光ディスクドライブ５を記録／再生可能モードへ切り替えて（ステップ４６）、光ディスクドライブ５を駆動させるためにバッテリ１８から光ディスクドライブ５へ電力を供給させる（ステップ４７）。当該モードの切り替えは、例えば半導体レーザ１１の発光強度を、スイッチングにより、再生レベルまでしか発振できないよう制御したり、記録レベルまで発振可能としたりすることによって行われる。また、制御部１９はモードの切り替えによりディスプレイ２の表示処理も制御する。例えば、本体１０がクレードル装置２０へ接続されていない状態で、ユーザからディスプレイ２（タッチパネル）に対して光ディスク５０への記録を行うための操作が入力された場合には、制御部１９は、「光ディスクへの記録を行うには本体をクレードルへ装着してください」などといった、クレードル装置２０へ載置しない限り光ディスク５０への記録ができない旨の表示を行うようディスプレイ２を制御する。
【００５６】
以上の動作により、本体１０のクレードル装置２０への接続状況に応じて、光ディスクドライブ５を再生専用モードと記録／再生可能モードとに切り替えるとともに、記録／再生可能モードの場合に機能する放熱ピン２３及びヒートシンク２５をクレードル装置２０に設けることで、本体１０に放熱手段を設ける必要がなくなるため、再生専用モードにおいては本体１０のモビリティを向上させることができるとともに、記録／再生可能モードにおいては光ディスクドライブ５の半導体レーザ１１で発生した熱を効率よく放熱して、半導体レーザ１１の寿命も延ばすことができる。
【００５７】
（第２実施形態）  
次に、本発明の第２の実施形態について説明する。なお、本実施形態において、上記第１実施形態と同様の構成または機能を有する箇所については同様の符号を付し、説明を省略または簡略化する。
【００５８】
上記第１実施形態においては、本体１０の光ディスクドライブ５に放熱板１７を設け、クレードル装置２０に放熱ピン２３及びヒートシンク２５を設けることで半導体レーザ１１からの熱を放熱していたが、本実施形態においては、当該熱をファンにより放熱することとしている。
【００５９】
図１１は、本実施形態におけるクレードル装置１２０の外観を示した図であり、図１２は、本実施形態において、本体１１０がクレードル装置１２０に接続された状態におけるファン装置２６と光ディスクドライブ５の近傍を示した図である。また図１３は、本実施形態における携帯型電子機器２００の内部構成を示したブロック図である。
【００６０】
これらの図に示すように、クレードル装置１２０には、載置部２１及び底面から露出するようにファン装置２６が設けられている。当該ファン装置２６は、また本体１１０の筐体１の底面の、上記ファン装置２６と対向する位置には、筐体１の内外を連通するスリット３５が設けられている。
【００６１】
図１３に示すように、ファン装置２６は、電源入力端子２４から電力を与えられて駆動することが可能となっており、当該駆動により空気流を発生し、当該空気流を上記スリット３５に向けて（図１２の矢印Ａ方向に向けて）送ることが可能となっている。当該空気流は、スリット３５から本体１１０の筐体１内部へ入り込み、光ディスクドライブ５の半導体レーザ１１を冷却することが可能となっている。
【００６２】
このファン装置２６は、図示しない制御部を内蔵しており、本体１１０がクレードル装置１２０に接続され、かつ、光ディスクドライブ５において光ディスク５０に対する信号の記録または再生が行なわれている場合にのみ駆動するよう制御される。
【００６３】
以下、当該ファン装置２６の制御処理を中心に、本実施形態における携帯型電子機器２００の動作について説明する。図１４は、本実施形態における携帯型電子機器２００の動作の流れを示したフローチャートである。
【００６４】
同図に示すように、携帯型電子機器２００は、ステップ５１〜ステップ５７までは上記第１実施形態の図１０におけるステップ４１〜ステップ４７と同様の動作を行うため、これらのステップの説明は省略する。
【００６５】
携帯型電子機器２００の本体１１０の制御部１９は、光ディスクドライブ５において光ディスク５０への記録／再生命令が入力されているか否かを確認する（ステップ５８）。この確認は、例えばレーザ光の出射の有無や、光ディスク５０の回転を検知したり、スピンドルモータ８やその他のモータの駆動を検知したりすることによって行ってもよい。記録／再生命令が入力されている場合（ステップ５８のＹｅｓ）には、その旨の信号をコネクタ４及びコネクタ２２を介してファン装置２６の制御部へ送信する。ファン装置２６は当該信号に基づいてファンの駆動を開始する（ステップ６０）。これにより半導体レーザ１１が冷却される。記録／再生命令が入力されていない場合（ステップ５８のＮｏ）には、制御部１９からその旨の信号がファン装置２６の制御部へ送信され、ファン装置２６はファンの駆動を停止するとともに、制御部１９は、バッテリ１８が光ディスクドライブ５への電源供給を停止するよう制御する（ステップ５９）。
【００６６】
以上の動作により、上記第１実施形態と同様、本体１１０のクレードル装置１２０への接続状況に応じて光ディスクドライブ５を再生専用モードと記録／再生可能モードとに切り替えるとともに、記録／再生可能モードにおいて機能するファン装置２６をクレードル装置１２０に設けることで、再生専用モードにおいては本体１０のモビリティを向上させることができるとともに、記録／再生可能モードにおいては半導体レーザ１１で発生した熱をファン装置２６により放熱することができる。
【００６７】
なお、本発明は上述の実施形態にのみ限定されるものではなく、本発明の要旨を逸脱しない範囲内において種々変更を加え得ることは勿論である。
【００６８】
上述の２つの実施形態において、再生専用モードの場合には、制御部１９は、本体１０または１１０をクレードル装置２０または１２０に接続しない限り光ディスク５０への記録ができない旨の表示をディスプレイ２に行うように制御していた。しかし、例えば、再生専用モードの場合には、記録用のメニューボタンをディスプレイ２に表示しないようにして、ユーザの記録操作自体ができないようにしてもよい。図１５は、そのような制御機能を有する携帯型電子機器３００の本体２１０へのクレードル装置２０の接続の前後の様子を示した図である。同図（ａ）が接続前、同図（ｂ）が接続後を示している。
【００６９】
同図（ａ）に示すように、本体２１０をクレードル装置２０へ接続していない状態においては、光ディスク５０への記録または再生を行なう場合にディスプレイ２に表示されるメインメニュー画面７１には、再生処理を行なうための再生メニューボタン７２のみが表示されている。そして同図（ｂ）に示すように、本体２１０がクレードル装置２０と接続した場合には、上記メインメニュー画面７１において、再生メニューボタン７２に加えて、記録処理を行うための記録メニューボタン７３が表示される。このようにメニューボタンの表示を制御することで、再生専用モードにおけるユーザの誤操作を未然に防止し、再生及び記録処理をスムーズに行わせることができる。
【００７０】
また、他の形態として、図１６の携帯型電子機器４００に示すように、本体３１０のディスプレイ２には再生専用モード及び記録／再生可能モードに関わらず再生用のボタンのみ表示して記録用のボタンを表示しないようにし、その代わりに、クレードル装置２２０の前面に、記録用ボタン２７を設けるようにしても構わない。このような形態によっても、再生専用モードにおけるユーザの誤操作を防ぐことができる。
【００７１】
また、上記２つの実施形態においては、放熱ピン２３及びヒートシンク２５と、ファン装置２６とによって半導体レーザ１１を放熱したが、これら放熱ピン２３及びヒートシンク２５と、ファン装置２６とを組み合わせて放熱するようにしてもよい。
【００７２】
また、上記第１実施形態において、本体１０の放熱板１７を筐体１から露出するように設けて、クレードル装置２０には、上記放熱ピン２３の代わりに放熱シートを設けるようにしても構わない。
【図面の簡単な説明】
【００７３】
【図１】本発明の第１実施形態における携帯型電子機器１００の正面側の外観を示す斜視図である。
【図２】本発明の第１実施形態における携帯型電子機器１００の背面側の外観を示す斜視図である。
【図３】本発明の第１実施形態における携帯型電子機器１００の内部構成を示したブロック図である。
【図４】本発明の第１実施形態における光ディスクドライブ５のその上面側から示した図である。
【図５】本発明の第１実施形態における光ディスクドライブ５をその裏面側から示した図である。
【図６】図４のうち破線Ａで囲んだ部分の拡大図である。
【図７】図５のうち破線Ｂで囲んだ部分の拡大図である。
【図８】本発明の第１実施形態において、本体１０がクレードル装置２０へ載置される際の携帯型電子機器１００の放熱経路部分を示した透過図である。
【図９】本発明の第１実施形態において、本体１０がクレードル装置２０へ載置された状態の携帯型電子機器１００を示した透過図である。
【図１０】本発明の第１実施形態における携帯型電子機器１００の動作の流れを示したフローチャートである。
【図１１】本発明の第２実施形態におけるクレードル装置１２０の外観を示した図である。
【図１２】本発明の第２実施形態において本体１１０がクレードル装置１２０に接続された状態におけるファン装置２６と光ディスクドライブ５の近傍を示した図である。
【図１３】本発明の第２実施形態における携帯型電子機器２００の内部構成を示したブロック図である。
【図１４】本発明の第２実施形態における携帯型電子機器２００の動作の流れを示したフローチャートである。
【図１５】本発明の他の実施形態における携帯型電子機器３００において、本体２１０へのクレードル装置２０の接続の前後の様子を示した図である。
【図１６】本発明の他の実施形態における携帯型電子機器４００の外観を示した斜視図である。
【符号の説明】
【００７４】
１…筐体
２…ディスプレイ
３…挿入部
４…コネクタ
５…光ディスクドライブ
６…シャーシ
７…装着部
８…スピンドルモータ
９…ピックアップ機構
１０、１１０、２１０、３１０…携帯型電子機器本体
１１…半導体レーザ
１２…レーザホルダ
１３…対物レンズ
１４…主軸
１６ａ…歯
１６…主軸抑えバネ
１７…放熱板
１７ａ…嵌合部
１８…バッテリ
１９…制御部
２０、１２０、２２０…クレードル装置
２１…載置部
２２…コネクタ
２３…放熱ピン
２４…電源入力端子
２５…ヒートシンク
２６…ファン装置
２７…記録用ボタン
３４…挿入孔
３５…スリット
５０…光ディスク
７２…再生メニューボタン
７３…記録メニューボタン
１００、２００、３００、４００…携帯型電子機器
【図１】
2007213121.tif 000003
【図２】
2007213121.tif 000004
【図３】
2007213121.tif 000005
【図４】
2007213121.tif 000006
【図５】
2007213121.tif 000007
【図６】
2007213121.tif 000008
【図７】
2007213121.tif 000009
【図８】
2007213121.tif 000010
【図９】
2007213121.tif 000011
【図１０】
2007213121.tif 000012
【図１１】
2007213121.tif 000013
【図１２】
2007213121.tif 000014
【図１３】
2007213121.tif 000015
【図１４】
2007213121.tif 000016
【図１５】
2007213121.tif 000017
【図１６】
2007213121.tif 000018